(57)【要約】【目的】カメラ本体の姿勢を検出する姿勢検出手段を備える電子カメラにおいて、別途縦姿勢か横姿勢かを入力させる姿勢入力手段を設け、レンズ下姿勢であるときには姿勢入力手段により入力された姿勢情報を優先することにより、レンズ下姿勢においても縦姿勢、横姿勢であることを判別可能とする電子カメラを提供すること。【構成】カメラ本体の縦姿勢、横姿勢、レンズ下姿勢を検出する姿勢検出手段と、縦姿勢、横姿勢を別途入力可能な姿勢入力手段とを備える電子カメラにおいて、前記姿勢検出手段の検出結果が縦姿勢、横姿勢であるときには、前記姿勢検出手段の検出結果に基づいてカメラ動作の制御を行い、前記姿勢検出手段の検出結果がレンズ下姿勢であるときには、前記姿勢入力手段により入力された姿勢情報を優先してカメラ動作の制御を行う。【選択図】　　　図１
2004088439.tif 000002
【特許請求の範囲】
【請求項１】
カメラ本体の縦姿勢、横姿勢、レンズ下姿勢を検出する姿勢検出手段と、縦姿勢、横姿勢を別途入力可能な姿勢入力手段とを備える電子カメラにおいて、
前記姿勢検出手段の検出結果が縦姿勢、横姿勢であるときには、前記姿勢検出手段の検出結果に基づいてカメラ動作の制御を行い、前記姿勢検出手段の検出結果がレンズ下姿勢であるときには、前記姿勢入力手段により入力された姿勢情報を優先してカメラ動作の制御を行うことを特徴とする電子カメラ。
【請求項２】
カメラ本体の縦姿勢、横姿勢、レンズ下姿勢を検出する姿勢検出手段と、初期位置とＳＷ１の半押し状態、ＳＷ２の全押し状態との２つの押し込み位置との間を移動自在に保持されているレリーズボタンとを備える電子カメラにおいて、
前記姿勢検出手段の検出結果が縦姿勢、横姿勢であるときには、前記姿勢検出手段の検出結果に基づいてカメラ動作の制御を行い、ＳＷ１で縦姿勢或は横姿勢が検出された後にカメラ本体が動かされ、レンズ下姿勢が検出された場合には、ＳＷ１で検出された姿勢情報に基づいてカメラ動作の制御を行うことを特徴とする電子カメラ。
【請求項３】
カメラ本体の縦姿勢、横姿勢、レンズ下姿勢を検出する姿勢検出手段と、取り込まれた画像データの中から１文字に相当するセグメントを切り出して該セグメントごとに個別の文字認識を行う文字認識手段とを備える電子カメラにおいて、
前記姿勢検出手段の検出結果が縦姿勢、横姿勢であるときには、前記姿勢検出手段の検出結果に基づいてカメラ動作の制御を行い、前記姿勢検出手段の検出結果がレンズ下姿勢であり、且つ、取り込まれた画像データの中に文字が含まれているときには、前記文字認識手段により認識される文字の向きからカメラ本体の縦姿勢、横姿勢を検出し、その姿勢情報に基づいてカメラ動作の制御を行うことを特徴とする電子カメラ。
【請求項４】
前記姿勢検出手段は、動力によって、少なくとも第１及び第２の２つの位置を往復運動できる回転移動体と、該回転移動体の移動位置を判別する光学的検出手段を備えることを特徴とする請求項１，２又は３記載の電子カメラ。
【発明の詳細な説明】
【０００１】
【発明の属する技術分野】
本発明は、カメラ本体の姿勢を検出する姿勢検出手段を備えた電子カメラに関する。
【０００２】
【従来の技術】
従来、姿勢検出手段による姿勢情報を基に、測光評価やＡＦの重み付けに変化を持たせたり、縦姿勢で撮影を行った画像に回転処理を施し、ＬＣＤ上に表示する場合には縦位置で表示を行ったりしていた。
【０００３】
姿勢検出装置及びそれを備えたカメラが特許第３１３２２２５号公報にて提案されている。この公報で提案されている姿勢検出装置は、その内部空間の形状を８個の正三角形で構成された正八面体とし、各々の内面に互いに絶縁された複数の電極が設けられ、空間内部に運動自在な導体を有している。カメラ本体の姿勢が変化すると、導体の位置が変化し導体が接触する電極が変わるため、電極間の導通を調べることによって導体の位置が分かり、カメラ本体の姿勢を検出することが可能である。この姿勢検出装置は正立（横姿勢）、倒立（天地逆さ姿勢）、左傾（グリップ下姿勢）、右傾（グリップ上姿勢）、前傾（レンズ下姿勢）、後傾（レンズ上姿勢）の６つの姿勢を検出できる構成となっている。
【０００４】
【発明が解決しようとする課題】
しかしながら、上記従来例においては、マクロ撮影時等、レンズ下姿勢で撮影を行う場合に、姿勢検出手段はレンズ下姿勢であることは検出可能であるが、更に撮影者が縦構図で構えているか、横構図で構えているかを検出することはできなかった。そのため、撮影後の画像をＬＣＤ上に再生する場合、レンズ下姿勢では、縦構図で撮影しようが、横構図で撮影しようが、全て横位置で表示することしかできず、撮影者の意図を反映することができないという問題があった。
【０００５】
そこで、本発明は、カメラ本体の姿勢を検出する姿勢検出手段を備える電子カメラにおいて、別途縦姿勢か横姿勢かを入力させる姿勢入力手段を設け、レンズ下姿勢であるときには姿勢入力手段により入力された姿勢情報を優先することにより、レンズ下姿勢においても縦姿勢、横姿勢であることを判別可能とする電子カメラを提供することを目的としている。
【０００６】
【課題を解決するための手段】
上記目的を達成するため、請求項１記載の発明は、カメラ本体の縦姿勢、横姿勢、レンズ下姿勢を検出する姿勢検出手段と、縦姿勢、横姿勢を別途入力可能な姿勢入力手段とを備える電子カメラにおいて、前記姿勢検出手段の検出結果が縦姿勢、横姿勢であるときには、前記姿勢検出手段の検出結果に基づいてカメラ動作の制御を行い、前記姿勢検出手段の検出結果がレンズ下姿勢であるときには、前記姿勢入力手段により入力された姿勢情報を優先してカメラ動作の制御を行うことを特徴とする。
【０００７】
この構成によれば、通常の縦姿勢、横姿勢の撮影のみならず、レンズ下姿勢時においても別途姿勢情報を入力してやることで、縦姿勢、横姿勢での撮影が可能となり、縦姿勢で撮影された画像をＬＣＤ上に縦位置で表示することが可能である。
【０００８】
又、請求項２記載の発明は、カメラ本体の縦姿勢、横姿勢、レンズ下姿勢を検出する姿勢検出手段と、初期位置とＳＷ１の半押し状態、ＳＷ２の全押し状態との２つの押し込み位置との間を移動自在に保持されているレリーズボタンとを備える電子カメラにおいて、前記姿勢検出手段の検出結果が縦姿勢、横姿勢であるときには、前記姿勢検出手段の検出結果に基づいてカメラ動作の制御を行い、ＳＷ１で縦姿勢或は横姿勢が検出された後にカメラ本体が動かされ、レンズ下姿勢が検出された場合には、ＳＷ１で検出された姿勢情報に基づいてカメラ動作の制御を行うことを特徴とする。
【０００９】
この構成によれば、姿勢入力手段を別途設ける必要がなく、通常の縦姿勢においてＳＷ１でレリーズロックした後、レンズ下姿勢へと姿勢を変化させることにより、レンズ下姿勢である場合においても縦姿勢での撮影が可能である。
【００１０】
更に、請求項３に記載の発明は、カメラ本体の縦姿勢、横姿勢、レンズ下姿勢を検出する姿勢検出手段と、取り込まれた画像データの中から１文字に相当するセグメントを切り出して該セグメントごとに個別の文字認識を行う文字認識手段とを備える電子カメラにおいて、前記姿勢検出手段の検出結果が縦姿勢、横姿勢であるときには、前記姿勢検出手段の検出結果に基づいてカメラ動作の制御を行い、前記姿勢検出手段の検出結果がレンズ下姿勢であり、且つ、取り込まれた画像データの中に文字が含まれているときには、前記文字認識手段により認識される文字の向きからカメラ本体の縦姿勢、横姿勢を検出し、その姿勢情報に基づいてカメラ動作の制御を行うことを特徴とする。
【００１１】
この構成によれば、レンズ下姿勢時において、文書等のテキストを撮影する場合には、撮影者は縦姿勢、横姿勢を気にすることなく撮影が可能である。
【００１２】
又、請求項４記載の発明は、請求項１，２又は３記載の発明において、前記姿勢検出手段は、動力によって、少なくとも第１及び第２の２つの位置を往復運動できる回転移動体と、該回転移動体の移動位置を判別する光学的検出手段を備えることを特徴とする。
【００１３】
この構成によれば、姿勢検出手段の出力変化により、カメラ本体の姿勢を検出することが可能である。
【００１４】
【発明の実施の形態】
以下に本発明の実施の形態を添付図面に基づいて説明する。
【００１５】
図１は本発明の実施の形態に係る電子カメラのブロック図、図２は本発明の実施の形態に係る姿勢検出スイッチの構成図、図３上記姿勢検出スイッチの動作説明図、図４は上記姿勢検出スイッチのカメラ本体に対する配置図、図５はカメラ本体の姿勢図、図６はカメラ本体の姿勢と姿勢検出スイッチの出力との関係を示した表図、図７は本発明の実施の形態１を示すフローチャート、図８は本発明の実施の形態２を示すフローチャート、図９は本発明の実施の形態３を示すフローチャート、図１０は本発明の実施の形態３におけるＯＣＲ部による姿勢判別の略説明図である。
【００１６】
＜実施の形態１＞
図１において、電子カメラは撮像光学系１、ＣＣＤ固体撮像素子２、ＣＰＵ３、姿勢検出スイッチ４、レリーズボタン５、姿勢入力手段６、ＬＣＤ７、ＯＣＲ（光学的文字自動読み取り）部８から成り、ＯＣＲ部８は更に特徴抽出部９、ヒストグラム生成部１０、辞書照合部１１から成る。
【００１７】
撮像光学系１は、ズームレンズやフォーカスレンズを備え、被写体像を結像する。ＣＣＤ固体撮像素子２は、撮像光学系１により結像された光学像を電気信号に変換する。ＣＣＤ固体撮像素子２からの出力信号は図示していないＡ／Ｄ変換器によりデジタル値に変換され、図示していないデジタル信号処理部がＡ／Ｄ変換器から入力したデジタル画像データに所要の各種処理、補正処理及び画像圧縮／伸長のための前処理を施す。
【００１８】
ＣＰＵ３はレリーズボタン５、姿勢入力手段６等の各種操作部からの指示に従い、各部の動作を制御する。姿勢検出スイッチ４はカメラ本体の姿勢を検出するスイッチであり、詳細は後述する。レリーズボタン５はＳＷ１の半押し状態、ＳＷ２の全押し状態との２つの押し込み位置との間を移動自在に保持されており、ＳＷ１のオンに応じて、測光動作、自動焦点調節動作、姿勢検出を行い、ＳＷ２のオンに応じて、露出制御動作、撮影画像記録を行う。姿勢入力手段６は、撮影者が縦姿勢、横姿勢を別途入力可能なスイッチであり、オン／オフの切換が可能である。
【００１９】
ＬＣＤ７は該電子カメラの動作状態等のモード表示を行い、又、撮像前及び撮像中のデジタル画像データをリアルタイムで表示して電子ファインダとして用いたり、撮像後のデジタル画像データを再生表示するために用いたりする。
【００２０】
ＯＣＲ部８は公知の文字自動読み取り装置である。ＯＣＲ部８は、画像情報から文字画像を切り出し、文字画像の特徴を抽出する特徴抽出部９、抽出された特徴のヒストグラムを生成するヒストグラム生成部１０、生成されたヒストグラムについて辞書照合を行い、候補文字を決定する辞書照合部１１から構成されている。
【００２１】
次に、姿勢検出スイッチの構成について図２を用いて説明する。尚、図２（ａ）は姿勢検出スイッチの平面図、図２（ｂ）は図２（ａ）中のＣ−Ｃ線に沿って切断した場合の断面図、図２（ｃ）は図２（ａ）中のＤ−Ｄ線に沿って切断した場合の断面図である。
【００２２】
図２において、２０は樹脂で成形されたスイッチ本体である。このスイッチ本体２０には溝部２０ａが形成されている。この溝部２０ａの中に、鋼球２１は溝部２０ａの中を自由に転動可能である。
【００２３】
溝部２０ａは、図２（ｃ）に示すように、断面ＤＤ方向で見ると、鋼球２１の直径よりも僅かに広い均一な幅で形成されている。又、溝部２０ａは、断面ＣＣにおいて第１の斜面２０ｃと第２の斜面２０ｄを有する略Ｖ字形状に形成されており、Ｖ字の頂点部２０ｂの近傍にフォトダイオード２２の投光窓２０ｅとフォトトランジスタ２３の受光窓２０ｆとが対向して形成されている。溝部２０ａのＶ字部の角度θは約９０°に形成されている。尚、ここでは、姿勢検出スイッチの方向説明のため、この姿勢検出スイッチの図２（ｂ）における下側の面をＡ面、図２（ｂ）における向かって右側の面をＢ面と定義する。
【００２４】
次に、姿勢検出スイッチの動作について図３を用いて説明する。尚、図３（ａ）は姿勢検出スイッチのＢ面を下にした状態を、図３（ｂ）は姿勢検出スイッチのＡ面を下にした状態をそれぞれ示している。
【００２５】
姿勢検出スイッチが図３（ａ）に示す状態のとき、鋼球２１は重力により溝部２０ａ内を下方向に転動する。このため、投光窓２０ｅと受光窓２０ｆの間の光路は鋼球２１によって遮られることはない。
【００２６】
姿勢検出スイッチが図３（ｂ）に示す状態のとき、鋼球２１は重力により溝部２０ａ内を下方向、即ち頂点部２０ｂの方向に転動する。このため、投光窓２０ｅと受光窓２０ｆの間の光路は鋼球２１によって遮られる。一般に、溝部２０ａのうち頂点部２０ｂが最も低い位置にある場合、鋼球２１が頂点部２０ｂの近傍に転動し、投光窓２０ｅと受光窓２０ｆの間の光路を遮る。
【００２７】
以後、本実施の形態では、図３（ｂ）のように、鋼球２１が頂点部２０ｂの近傍に存在し、フォトダイオード２２とフォトトランジスタ２３の間の光路を遮っている状態を「Ｈ」と表現し、図３（ａ）のように、鋼球２１が頂点部２０ｂの近傍に存在せず、フォトダイオード２２とフォトトランジスタ２３の間の光路を遮っていない状態を「Ｌ」と表現する。
【００２８】
次に、姿勢検出スイッチのカメラ本体に対する配置について図４を用いて説明する。
【００２９】
図４（ａ）はカメラ本体を正面から見た場合の姿勢検出スイッチの配置図、図４（ｂ）はカメラ本体を上面から見た場合の姿勢検出スイッチの配置図である。この図に示すように、カメラ本体正面図の撮影光軸上の線ａ−ａに対して、左右対称に姿勢検出スイッチが配置されている。
【００３０】
第１の姿勢検出スイッチ１３は、Ａ面をカメラの正面から見て向かって左側に、Ｂ面をカメラの下側に向けて配置されている。又、第２の姿勢検出スイッチ１４はＡ面をカメラの正面から見て向かって右側に、Ｂ面をカメラの上側に向けて配置されている。更に、図（ｂ）にあるように、カメラの上面から見て、第１，第２の姿勢検出スイッチは線ｂ−ｂに対して、各々角度θを持って配置されている。
【００３１】
次に、図５及び図６を用いてカメラの各姿勢に対応する各姿勢検出スイッチの状態について説明する。
【００３２】
図５（ａ）はカメラが横姿勢にある場合を、図５（ｂ）はカメラがグリップが下となる縦姿勢（グリップ下姿勢）にある場合を、図５（ｃ）はカメラがグリップが上となる縦姿勢（グリップ上姿勢）にある場合を、図５（ｄ）はカメラがレンズ上姿勢にある場合を、図５（ｅ）はカメラがレンズ下姿勢にある場合をそれぞれ示している。
【００３３】
図５（ａ）のように、カメラが横姿勢のときは、第１の姿勢検出スイッチ１３は「Ｌ」の状態、第２の姿勢検出スイッチ１４は「Ｌ」の状態となる。図５（ｂ）のように、カメラがグリップ下姿勢のときは、第１の姿勢検出スイッチ１３は「Ｈ」の状態、第２の姿勢検出スイッチ１４は「Ｌ」の状態となる。図５（ｃ）のように、カメラがグリップ上姿勢のときは、第１の姿勢検出スイッチ１３は「Ｌ」の状態、第２の姿勢検出スイッチ１４は「Ｈ」の状態となる。図５（ｄ）のように、カメラがレンズ上姿勢のときは、第１の姿勢検出スイッチ１３は「Ｌ」の状態、第２の姿勢検出スイッチ１４は「Ｌ」の状態となる。図５（ｅ）のようにカメラがレンズ下姿勢のときは、第１の姿勢検出スイッチ１３は「Ｈ」の状態、第２の姿勢検出スイッチ１４は「Ｈ」の状態となる。このように本実施の形態の配置をすることによってカメラが横姿勢、縦姿勢にある場合に加えて、レンズ下姿勢にある場合の姿勢を検出することが可能となる。
【００３４】
次に、本実施の形態に係る電子カメラの動作について、図７のフローチャートに従って説明する。
【００３５】
先ず、ＳＷ１がＯＮであるか否かを検出する（ステップ１０１）。ＳＷ１がＯＮされたら、姿勢検出スイッチ４により、カメラ本体の姿勢を検出する（ステップ１０２）。このとき、測光動作、焦点検出動作等も行う。次に、ＳＷ２がＯＮされるまで待機する（ステップ１０３）。ＳＷ２がＯＮされたら、再度姿勢検出スイッチ４によりカメラ本体の姿勢を検出し、レンズ下姿勢であるか否かを判定する（ステップ１０４）。カメラ本体の姿勢がレンズ下姿勢でなければ、ステップ１０６へと進む。レンズ下姿勢であった場合は、更に姿勢入力手段６がＯＮであるか否かを判定する（ステップ１０５）。
【００３６】
姿勢入力手段６がＯＦＦならばステップ１０６へと進み、姿勢検出スイッチ４による姿勢情報をＣＰＵ３へ入力し、撮影が行われる（ステップ１０７）。この際、カメラ本体が横姿勢、縦姿勢であった場合には、その姿勢に応じて、測光評価、ホワイトバランスに重み付けが行われる。又、レンズ下姿勢であった場合には、通常、地面等を撮影することが多く、画面枠内に太陽等の高輝度被写体が存在することはないので、重み付けは行われない。そして、画像を記録媒体に記録する際には（ステップ１０８）、撮影時のカメラ本体の、縦・横姿勢の姿勢情報も記録し、横姿勢で撮影された画像は横向きに、縦姿勢で撮影された画像は縦向きに再生を行うようにする。
【００３７】
レンズ下姿勢で撮影された画像は横向きに再生される。ステップ１０５において姿勢入力手段６がＯＮであった場合には、姿勢入力手段６による縦・横姿勢の姿勢情報をＣＰＵ３に入力し（ステップ１０９）、撮影が行われる（ステップ１１０）。この場合には、カメラ本体の姿勢はレンズ下姿勢であるため、測光評価等の重み付けは行われない。そして、画像を記録媒体に記録する際には（ステップ１１１）、姿勢入力手段６から入力された縦・横姿勢の姿勢情報も記録し、横姿勢で撮影された画像は横向きに、縦姿勢で撮影された画像は縦向きに再生が行われるようにする。このようにすることによって、レンズ下姿勢で撮影された画像を、撮影時の姿勢に応じて再生表示することが可能となる。
【００３８】
＜実施の形態２＞
次に、本発明の実施の形態２について図８のフローチャートに従って説明する。
【００３９】
本実施の形態はＳＷ１でレリーズロックした後に、撮影者がカメラ本体の姿勢を変化させてＳＷ２をＯＮした場合の例である。先ず、ＳＷ１がＯＮであるか否かを検出する（ステップ２０１）。ＳＷ１がＯＮされたら、姿勢検出スイッチ４により、カメラ本体の姿勢を検出する（ステップ２０２）。このとき、測光動作、焦点検出動作等も行う。そして、検出されたカメラ本体の姿勢が縦、横姿勢であるか否かを判定する（ステップ２０３）。縦、横姿勢でなかった場合、つまりレンズ下姿勢であった場合はＳＷ２がＯＮされるまで待機する（ステップ２０４）。ＳＷ２がＯＮされたら再度姿勢検出スイッチ４によりカメラ本体の姿勢を検出し、ＳＷ２で検出された姿勢情報をＣＰＵ３へと入力し（ステップ２０５）、撮影が行われる（ステップ２０６）。
【００４０】
このように、ＳＷ１のレリーズロックでレンズ下姿勢であった場合には、レリーズロック後にカメラ本体の姿勢が変化した場合でも、ＳＷ２で検出された姿勢情報を利用して撮影が行われるため、撮影時の姿勢に応じて制御を行うことができる。そして、画像を記録媒体に記録する際には（ステップ２０７）、撮影時のカメラ本体の、縦・横姿勢の姿勢情報も記録し、横姿勢で撮影された画像は横向きに、縦姿勢で撮影された画像は縦向きに再生を行うようにする。
【００４１】
レンズ下姿勢で撮影された画像は横向きに再生される。ステップ２０３において縦、横姿勢であった場合には、ステップ２０２で検出された姿勢情報をＣＰＵ３へと入力し、一時的に格納する（ステップ２０８）。次に、ＳＷ２がＯＮされるまで待機する（ステップ２０９）。ＳＷ２がＯＮされたら、再度姿勢検出スイッチ４によりカメラ本体の姿勢を検出し、レンズ下姿勢であるか否かを判定する（ステップ２１０）。カメラ本体の姿勢がレンズ下姿勢でない場合、つまりはＳＷ１からＳＷ２でカメラ本体の姿勢が変化してない、或は縦姿勢から横姿勢、横姿勢から縦姿勢へと変化した場合にはステップ２１１へと進み、ＳＷ２で検出された姿勢検出スイッチ４による姿勢情報をＣＰＵ３へ入力し、撮影が行われる（ステップ２１２）。この場合、カメラ本体は横姿勢、縦姿勢の何れかであるので、その姿勢に応じて、測光評価、ホワイトバランスに重み付けが行われる。
【００４２】
そして、画像を記録媒体に記録する際には（ステップ２１３）、撮影時のカメラ本体の、縦・横姿勢の姿勢情報も記録し、横姿勢で撮影された画像は横向きに、縦姿勢で撮影された画像は縦向きに再生を行うようにする。ステップ２１０において、レンズ下姿勢であった場合、つまりＳＷ１からＳＷ２で縦姿勢或は横姿勢からレンズ下姿勢にカメラ本体の姿勢が変化した場合には、ステップ２０８で格納されている、ＳＷ１で検出された姿勢情報をＣＰＵへと入力し（ステップ２１４）、撮影が行われる（ステップ２１５）。
【００４３】
そして、画像を記録媒体に記録する際には（ステップ２１６）、ＳＷ１で検出された縦・横姿勢の姿勢情報も記録し、ＳＷ１で横姿勢であった画像は横向きに、ＳＷ１で縦姿勢であった画像は縦向きに再生が行われるようにする。
【００４４】
而して、本実施の形態によれば、ＳＷ１で縦、横姿勢でカメラを構えた後、レンズ下姿勢にカメラを構え直すことによって、姿勢入力手段を別途設けることなく、レンズ下姿勢で撮影された画像を撮影時の姿勢に応じて再生表示することが可能となる。
【００４５】
＜実施の形態３＞
次に、本発明の実施の形態３について図９のフローチャートに従って説明する。
【００４６】
先ず、ＳＷ１がＯＮであるか否かを検出する（ステップ３０１）。ＳＷ１がＯＮされたら、姿勢検出スイッチ４により、カメラ本体の姿勢を検出する（ステップ３０２）。このとき、測光動作、焦点検出動作等も行う。
【００４７】
次に、ＳＷ２がＯＮされるまで待機する（ステップ３０３）。ＳＷ２がＯＮされたら、再度姿勢検出スイッチ４によりカメラ本体の姿勢を検出し、レンズ下姿勢であるか否かを判定する（ステップ３０４）。カメラ本体の姿勢がレンズ下姿勢でなければ、ステップ３０５へと進み、姿勢検出スイッチ４による姿勢情報をＣＰＵ３へ入力し、撮影が行われる（ステップ３０６）。この際、横姿勢、縦姿勢に応じて、測光評価、ホワイトバランスに重み付けが行われる。
【００４８】
そして、画像を記録媒体に記録する際には（ステップ３０７）、撮影時のカメラ本体の、縦・横姿勢の姿勢情報も記録し、横姿勢で撮影された画像は横向きに、縦姿勢で撮影された画像は縦向きに再生を行うようにする。ステップ３０４において、レンズ下姿勢であった場合は、レンズ下姿勢であるという姿勢情報がＣＰＵ３に入力され、撮影が行われる（ステップ３０８）。
【００４９】
そして、取り込まれた画像データの中に文字が含まれている場合には撮影後の画像からＯＣＲ部８により撮影時の縦、横姿勢が判別される（ステップ３０９）。取り込まれた画像データの中に文字が含まれていない場合には、撮影後の画像にはそのままレンズ下姿勢の姿勢情報が保持される。
【００５０】
次に、画像を記録媒体に記録する際には（ステップ３１０）、ＯＣＲ部８により判別された縦・横姿勢の姿勢情報も記録し、横姿勢で撮影された画像は横向きに、縦姿勢で撮影された画像は縦向きに再生が行われるようにする。取り込まれた画像データの中に文字が含まれていない場合は、レンズ下姿勢の姿勢状態で撮影されているので、撮影後の画像は横向きに再生される。
【００５１】
ステップ３０９，３１０におけるＯＣＲ部８による判別と再生の略説明図を図１０に示す。
【００５２】
図１０（ａ）にあるように、撮影画像に対して、文字が９０度倒れた横向きにある場合には縦姿勢であると判別され、再生時には９０度回転した縦向きで表示される。図１０（ｂ）にあるように、撮影画像に対して、文字が倒れることなく縦向きにある場合には横姿勢であると判別され、再生時には横向きで表示される。
【００５３】
以上、本実施の形態によれば、レンズ下姿勢時において、文書等のテキストを撮影する場合には、撮影者は縦姿勢、横姿勢を気にすることなく撮影が可能であり、撮影時の姿勢に応じて再生表示することが可能となる。
【００５４】
【発明の効果】
以上の説明で明らかなように、本発明によれば、カメラ本体の縦姿勢、横姿勢、レンズ下姿勢を検出する姿勢検出手段と、縦姿勢、横姿勢を別途入力可能な姿勢入力手段とを備える電子カメラにおいて、前記姿勢検出手段の検出結果が縦姿勢、横姿勢であるときには、前記姿勢検出手段の検出結果に基づいてカメラ動作の制御を行い、前記姿勢検出手段の検出結果がレンズ下姿勢であるときには、前記姿勢入力手段により入力された姿勢情報を優先してカメラ動作の制御を行うようにしたため、通常の縦姿勢、横姿勢の撮影のみならず、レンズ下姿勢時においても別途姿勢情報を入力することで縦姿勢、横姿勢での撮影が可能となり、縦姿勢で撮影された画像をＬＣＤ上に縦位置で表示することができるという効果が得られる。
【００５５】
又、カメラ本体の縦姿勢、横姿勢、レンズ下姿勢を検出する姿勢検出手段と、初期位置とＳＷ１の半押し状態、ＳＷ２の全押し状態との２つの押し込み位置との間を移動自在に保持されているレリーズボタンとを備える電子カメラにおいて、前記姿勢検出手段の検出結果が縦姿勢、横姿勢であるときには、前記姿勢検出手段の検出結果に基づいてカメラ動作の制御を行い、ＳＷ１で縦姿勢、或は横姿勢が検出された後にカメラ本体が動かされ、レンズ下姿勢が検出された場合には、ＳＷ１で検出された姿勢情報に基づいてカメラ動作の制御を行う構成にすることによって、姿勢入力手段を別途設ける必要がなく、通常の縦姿勢においてＳＷ１でレリーズロックした後、レンズ下姿勢へと姿勢を変化させることにより、レンズ下姿勢である場合においても縦姿勢での撮影をすることができるという効果が得られる。
【００５６】
更に、カメラ本体の縦姿勢、横姿勢、レンズ下姿勢を検出する姿勢検出手段と、取り込まれた画像データの中から１文字に相当するセグメントを切り出して該セグメントごとに個別の文字認識を行う文字認識手段とを備える電子カメラにおいて、前記姿勢検出手段の検出結果が縦姿勢、横姿勢であるときには、前記姿勢検出手段の検出結果に基づいてカメラ動作の制御を行い、前記姿勢検出手段の検出結果がレンズ下姿勢であり、且つ、取り込まれた画像データの中に文字が含まれているときには、前記文字認識手段により認識される文字の向きからカメラ本体の縦姿勢、横姿勢を検出し、その姿勢情報に基づいてカメラ動作の制御を行うようにしたため、レンズ下姿勢時において、文書等のテキストを撮影する場合には、撮影者は縦姿勢、横姿勢を気にすることなく撮影することができる効果という効果が得られる。
【００５７】
又、姿勢検出手段は、動力によって、少なくとも第１及び第２の２つの位置を往復運動できる回転移動体と、該回転移動体の移動位置を判別する光学的検出手段を備えるため、姿勢検出手段の出力変化により、カメラ本体の姿勢を検出することができるという効果が得られる。
【図面の簡単な説明】
【図１】本発明の実施の形態に係る電子カメラのブロック図である。
【図２】本発明の実施の形態に係る姿勢検出スイッチの構成図である。
【図３】姿勢検出スイッチの動作説明図である。
【図４】姿勢検出スイッチのカメラ本体に対する配置図である。
【図５】カメラ本体の姿勢図である。
【図６】カメラ本体の姿勢と姿勢検出スイッチの出力との関係を示した表図である。
【図７】本発明の実施の形態１を示すフローチャートである。
【図８】本発明の実施の形態２を示すフローチャートである。
【図９】本発明の実施の形態３を示すフローチャートである。
【図１０】本発明の実施の形態３におけるＯＣＲ部による姿勢判別の略説明図である。
【符号の説明】
１　　　　　撮像光学系
２　　　　　ＣＣＤ固体撮像素子
３　　　　　ＣＰＵ
４　　　　　姿勢検出スイッチ
５　　　　　レリーズボタン
６　　　　　姿勢入力手段
７　　　　　ＬＣＤ
８　　　　　ＯＣＲ部
９　　　　　特徴抽出部
１０　　　　ヒストグラム生成部
１１　　　　辞書照合部
１２　　　　第１の姿勢検出スイッチ
１３　　　　第２の姿勢検出スイッチ
【図１】
2004088439.tif 000003
【図２】
2004088439.tif 000004
【図３】
2004088439.tif 000005
【図４】
2004088439.tif 000006
【図５】
2004088439.tif 000007
【図６】
2004088439.tif 000008
【図７】
2004088439.tif 000009
【図８】
2004088439.tif 000010
【図９】
2004088439.tif 000011
【図１０】
2004088439.tif 000012